(57)【要約】【課題】屋上部に手摺りを形成しながら、従来のような施工手間を省略することができるとともに雨仕舞を向上できる屋根構造および建物を提供することを目的とする。【解決手段】人が立ち入り可能であるとともに外部に向かって開放される屋上部１ａを有する建物本体１に、この建物本体１の外壁１ｂの上端部に連結されるとともに、上部が、屋上部１ａに立設される支持壁３によって屋上部１ａの上方に支持される勾配屋根４が設けられており、この勾配屋根４の傾斜方向の下端部が、建物本体１の外壁１ｂよりも外部側に突出しており、この勾配屋根４の傾斜方向の上端部が、支持壁３よりも屋上部１ａ側に突出することによって手摺りとされている屋根構造と、この屋根構造を備える建物Ａ。これにより、勾配屋根の傾斜方向の下端部を軒先部として利用でき、上端部を手摺りとして利用できる。【選択図】図１
2010077629.tif 000002
【特許請求の範囲】
【請求項１】
人が立ち入り可能であるとともに外部に向かって開放される屋上部を有する建物本体に、この建物本体の外壁の上端部に連結されるとともに、上部が、前記屋上部に立設される支持壁によって前記屋上部の上方に支持される勾配屋根が設けられており、
この勾配屋根の傾斜方向の下端部は、前記建物本体の外壁よりも外部側に突出しており、
この勾配屋根の傾斜方向の上端部は、前記支持壁よりも屋上部側に突出することによって、前記屋上部に立ち入る人のための手摺りとされていることを特徴とする屋根構造。
【請求項２】
請求項１に記載の屋根構造において、
前記勾配屋根の傾斜方向の上端部の屋上部側端面と、前記勾配屋根の幅方向両端部に位置する側端面の少なくとも一方には、これら屋上部側端面および側端面の長さ方向に沿って、それぞれ化粧板材が取り付けられており、
これら化粧板材の垂直方向の下端部は、前記勾配屋根の下面の高さ位置よりも下垂していることを特徴とする屋根構造。
【請求項３】
請求項２に記載の屋根構造において、
前記勾配屋根の傾斜方向の上端部には、前記屋上部側端面に取り付けられる化粧板材の垂直方向の上端部と、前記勾配屋根の上面に設けられる複数の屋根材のうち、最も上方に位置する屋根材の傾斜方向の上端部とを包み込む上カバー部材が設けられていることを特徴とする屋根構造。
【請求項４】
請求項３に記載の屋根構造において、
前記上カバー部材は、前記化粧板材の垂直方向の上端部を覆う第１覆い部と、前記屋根材の傾斜方向の上端部を覆う第２覆い部と、これら第１覆い部と第２覆い部との間に位置する中間覆い部とを備えており、
この中間覆い部は、水平面または前記屋上部に向かって下がるように傾斜する傾斜面となっていることを特徴とする屋根構造。
【請求項５】
請求項２〜４のいずれか一項に記載の屋根構造において、
前記勾配屋根の幅方向両端部の少なくとも一方には、前記勾配屋根の幅方向両端部に位置する側端面の少なくとも一方に取り付けられる化粧板材の垂直方向の上端部と、前記勾配屋根の上面に設けられる複数の屋根材のうち、この勾配屋根の幅方向の最も側方に位置する屋根材の側端部とを包み込む側カバー部材が設けられていることを特徴とする屋根構造。
【請求項６】
請求項２〜５のいずれか一項に記載の屋根構造において、
前記化粧板材は、この化粧板材が取り付けられる前記勾配屋根の屋上部側端面および側端面との間に固定金具を介して取り付けられており、
この固定金具は、前記化粧板材の取付面に形成される被係合部に係合する係合部を備えていることを特徴とする屋根構造。
【請求項７】
請求項６に記載の屋根構造において、
前記勾配屋根は、この勾配屋根の内部空間を利用した換気通路と、前記屋上部側に突出する勾配屋根の傾斜方向の上端部において下方に開口して前記換気通路と外部とを連通する換気口とを備えており、
前記勾配屋根の傾斜方向の上端部の屋上部側端面に取り付けられる固定金具の下端部には、前記換気口を除く前記勾配屋根の傾斜方向の上端部の下面を覆う覆いプレートが一体的に設けられており、
この覆いプレートには、前記支持壁の屋上部側表面の上端部を覆うとともに、前記支持壁の屋上部側表面から所定の隙間をあけて設けられる通気部が接続されており、
この通気部は、前記隙間に向かって水平方向に開口する開口部を有しており、この開口部と前記換気口とを介して前記換気通路と屋外とが連通していることを特徴とする屋根構造。
【請求項８】
請求項１〜７のいずれか一項に記載の屋根構造において、
前記屋上部と勾配屋根と支持壁とで囲まれる空間に収納庫が設けられており、
前記支持壁には、前記収納庫内に収納される物品の出し入れを行うための出し入れ口が形成されていることを特徴とする屋根構造。
【請求項９】
請求項１〜８のいずれか一項に記載の屋根構造において、
前記勾配屋根の傾斜方向の上端部には、人の手で握持可能な補助手摺りが取り付けられていることを特徴とする屋根構造。
【請求項１０】
請求項１〜９のいずれか一項に記載の屋根構造を備える建物であって、
前記建物本体の上部に、この建物本体の上階層となる建物上階部が設けられており、
この建物上階部の上部には、前記勾配屋根と離間して配置される上階屋根が設けられており、
この建物上階部の外壁には、この建物上階部の内部と前記屋上部とを連通する開口部が形成されていることを特徴とする建物。
【発明の詳細な説明】
【技術分野】
【０００１】
本発明は、建物本体の上部に設けられる屋根構造と、この屋根構造を備える建物に関する。
【背景技術】
【０００２】
従来、人の立ち入りが可能な建物の陸屋根やルーフバルコニー等の屋上部に、人が屋上部から外部へと容易に移動できないように、また、外部からの視線を遮るために手摺り壁やフェンス等が設けられる建物が知られている（例えば、特許文献１参照）。
この特許文献１に記載の建物の手摺り壁は、屋上部の外周縁部に沿って配置されているとともに、この建物の外壁の上端部に一体的に設けられている。
【特許文献１】特開平１１−０６２２８０号公報
【発明の開示】
【発明が解決しようとする課題】
【０００３】
ところで、特許文献１のような建物の場合、外壁から手摺り壁上端にかけての壁面が平坦になっており、庭等の建物の外周部や開口部の上方に軒の出がない状態となっている。このため、例えば雨の日に建物の外周部に出ると濡れてしまったり、雨水や泥が地面から外壁に跳ね返る量が多かったり、跳ね返った雨水や泥が建物内部に多く浸入してしまう等の問題がある。
そこで、特に人が通過する頻度の高い玄関ポーチの上方や、窓等の開口部の上方の外壁に、この外壁よりも外部に突出する庇やキャンティバルコニー等の張出部を設けることが行われているが、その分、施工に手間がかかり、工期が長引いてしまう等の問題が生じる場合がある。
【０００４】
本発明の課題は、屋上部に手摺りを形成しながら、従来のような施工手間を省略することができるとともに雨仕舞を向上させることが可能な屋根構造および建物を提供することを目的とする。
【課題を解決するための手段】
【０００５】
請求項１に記載の発明は、屋根構造であって、例えば図１〜図８に示すように、人が立ち入り可能であるとともに外部に向かって開放される屋上部１ａを有する建物本体１に、この建物本体１の外壁１ｂの上端部に連結されるとともに、上部が、前記屋上部１ａに立設される支持壁３によって前記屋上部１ａの上方に支持される勾配屋根４が設けられており、
この勾配屋根４の傾斜方向の下端部は、前記建物本体１の外壁１ｂよりも外部側に突出しており、
この勾配屋根４の傾斜方向の上端部は、前記支持壁３よりも屋上部１ａ側に突出することによって、前記屋上部１ａに立ち入る人のための手摺りとされていることを特徴とする。
【０００６】
請求項１に記載の発明によれば、前記建物本体１の外壁１ｂの上端部に連結されるとともに、上部が、前記屋上部１ａに立設される支持壁３によって前記屋上部１ａの上方に支持される勾配屋根４が設けられているので、前記屋上部１ａを外部に向かって確実に開放させながら、この勾配屋根４を、前記建物本体１の上部に確実に設置することができる。
そして、このような勾配屋根４の傾斜方向の下端部は、前記建物本体１の外壁１ｂよりも外部側に突出しているので、この勾配屋根４の傾斜方向の下端部を、前記建物本体１の外部に張り出す軒先部として利用することができる。
また、この勾配屋根４の傾斜方向の上端部は、前記支持壁３よりも屋上部１ａ側に突出することによって、前記屋上部１ａに立ち入る人のための手摺りとされているので、前記屋上部１ａに立ち入る人が手を載せたり、つかまったりすることができる。また、外部から前記屋上部１ａに向かう視線を遮ることができる。
これによって、前記屋上部１ａに手摺りを形成しながら、従来のように庇やキャンティバルコニー等の張出部を設ける手間を省略することができるとともに、前記勾配屋根４の傾斜方向の下端部である軒先部によって建物の雨仕舞を向上させることが可能となる。
さらに、前記勾配屋根４の傾斜方向の上端部は、前記支持壁３よりも屋上部１ａ側に突出しているので、この勾配屋根４の傾斜方向の上端部は前記支持壁３に対してオーバーハングすることとなり、人が前記屋上部１ａから外部へと移動しにくくなる。特に子供の手摺りの乗り越えを確実に防ぐことができ、安全性に優れる。
【０００７】
請求項２に記載の発明は、例えば図４〜図８に示すように、請求項１に記載の屋根構造において、
前記勾配屋根４の傾斜方向の上端部の屋上部１ａ側端面と、前記勾配屋根４の幅方向両端部に位置する側端面の少なくとも一方には、これら屋上部１ａ側端面および側端面の長さ方向に沿って、それぞれ化粧板材５，６が取り付けられており、
これら化粧板材５，６の垂直方向の下端部は、前記勾配屋根４の下面の高さ位置よりも下垂していることを特徴とする。
【０００８】
請求項２に記載の発明によれば、前記勾配屋根４の傾斜方向の上端部の屋上部１ａ側端面と、前記勾配屋根４の幅方向両端部に位置する側端面の少なくとも一方とに取り付けられる化粧板材５，６の垂直方向の下端部が、前記勾配屋根４の下面の高さ位置よりも下垂しているので、前記勾配屋根４に向かって雨が降る場合に、雨水が前記化粧板材５，６の表面を伝い、この化粧板材５，６の垂直方向の下端部に向かって流れることとなる。これによって、前記勾配屋根４に向かって降る雨が前記勾配屋根４に到達することを確実に防ぐことができるので、建物の雨仕舞をより向上させることができる。
【０００９】
請求項３に記載の発明は、例えば図４〜図８に示すように、請求項２に記載の屋根構造において、
前記勾配屋根４の傾斜方向の上端部には、前記屋上部１ａ側端面に取り付けられる化粧板材５の垂直方向の上端部と、前記勾配屋根４の上面に設けられる複数の屋根材２０（２１）のうち、最も上方に位置する屋根材２０（２１）の傾斜方向の上端部とを包み込む上カバー部材３０（３１，３２）が設けられていることを特徴とする。
【００１０】
請求項３に記載の発明によれば、前記勾配屋根４の傾斜方向の上端部には、前記屋上部１ａ側端面に取り付けられる化粧板材５の垂直方向の上端部と、前記勾配屋根４の上面に設けられる複数の屋根材２０（２１）のうち、最も上方に位置する屋根材２０（２１）の傾斜方向の上端部とを包み込む上カバー部材３０（３１，３２）が設けられているので、この上カバー部材３０（３１，３２）によって、前記勾配屋根４の傾斜方向の上端部付近から雨水等が浸入することを確実に防ぐことができ、建物の雨仕舞をさらに向上させることができる。
【００１１】
請求項４に記載の発明は、例えば図７および図８に示すように、請求項３に記載の屋根構造において、
前記上カバー部材３２は、前記化粧板材５の垂直方向の上端部を覆う第１覆い部３２ａと、前記屋根材２１の傾斜方向の上端部を覆う第２覆い部３２ｂと、これら第１覆い部３２ａと第２覆い部３２ｂとの間に位置する中間覆い部３２ｃとを備えており、
この中間覆い部３２ｃは、水平面または前記屋上部１ａに向かって下がるように傾斜する傾斜面となっていることを特徴とする。
【００１２】
請求項４に記載の発明によれば、前記第１覆い部３２ａと第２覆い部３２ｂとの間に位置する中間覆い部３２ｃが、水平面または前記屋上部１ａに向かって下がるように傾斜する傾斜面となっているので、例えば、このような中間覆い部３２ｃがない場合に比して、前記第１覆い部３２ａと第２覆い部３２ｂとの間の角部付近が鋭利でない状態となり、人が手を載せやすくなる。また、この中間覆い部３２ｃがない場合に比して、前記屋上部１ａから前記上カバー部材３２の最上部までの高さが低くなるので、前記屋上部１ａから見える景色が広がるとともに、前記屋上部１ａに向かって注がれる日差しを多く取り込むことができる。
また、前記中間覆い部３２ｃが水平面となっていれば、例えばコップやグラス等を置いてテーブル代わりに用いることができ、前記中間覆い部３２ｃが前記屋上部１ａに向かって下がる傾斜面となっていれば、例えば洗濯バサミ等の物品を落とした時に、この物品が前記屋上部１ａ側に落ちやすくなる。
【００１３】
請求項５に記載の発明は、例えば図４および図６，図７に示すように、請求項２〜４のいずれか一項に記載の屋根構造において、
前記勾配屋根４の幅方向両端部の少なくとも一方には、前記勾配屋根４の幅方向両端部に位置する側端面の少なくとも一方に取り付けられる化粧板材６の垂直方向の上端部と、前記勾配屋根４の上面に設けられる複数の屋根材２０（２１）のうち、この勾配屋根４の幅方向の最も側方に位置する屋根材２０（２１）の側端部とを包み込む側カバー部材４０（４１）が設けられていることを特徴とする。
【００１４】
請求項５に記載の発明によれば、前記勾配屋根４の幅方向両端部の少なくとも一方には、前記勾配屋根４の幅方向両端部に位置する側端面の少なくとも一方に取り付けられる化粧板材６の垂直方向の上端部と、前記勾配屋根４の上面に設けられる複数の屋根材２０（２１）のうち、この勾配屋根４の幅方向の最も側方に位置する屋根材２０（２１）の側端部とを包み込む側カバー部材４０（４１）が設けられているので、この側カバー部材４０（４１）によって、前記勾配屋根４の幅方向両端部の少なくとも一方から雨水等が浸入することを確実に防ぐことができ、建物の雨仕舞をより一層向上させることができる。
【００１５】
請求項６に記載の発明は、例えば図４〜図８に示すように、請求項２〜５のいずれか一項に記載の屋根構造において、
前記化粧板材５，６は、この化粧板材５，６が取り付けられる前記勾配屋根４の屋上部１ａ側端面および側端面との間に固定金具７，８を介して取り付けられており、
この固定金具７，８は、前記化粧板材５，６の取付面に形成される被係合部５ａ，６ａに係合する係合部７ａ，８ａを備えていることを特徴とする。
【００１６】
請求項６に記載の発明によれば、前記化粧板材５，６は、この化粧板材５，６が取り付けられる前記勾配屋根４の屋上部１ａ側端面および側端面との間に固定金具７，８を介して取り付けられており、この固定金具７，８は、前記化粧板材５，６の取付面に形成される被係合部５ａ，６ａに係合する係合部７ａ，８ａを備えているので、予め前記固定金具７，８を前記勾配屋根４の屋上部１ａ側端面および側端面に取り付けておくことによって、前記化粧板材５，６を取り付ける際に、この化粧板材５，６の被係合部５ａ，６ａと、前記固定金具７，８の係合部７ａ，８ａとを係合させることで、前記化粧板材５，６を前記勾配屋根４の屋上部１ａ側端面および側端面に取り付けることができる。これによって、前記化粧板材５，６を取り付ける際に釘やビス等の止着材を用いる必要がないので、釘やビス等の止着材が設けられた部分から雨水が浸入するようなことを確実に防ぐことができ、建物の雨仕舞を格段に向上させることができる。
【００１７】
請求項７に記載の発明は、例えば図５に示すように、請求項６に記載の屋根構造において、
前記勾配屋根４は、この勾配屋根４の内部空間を利用した換気通路４ｃと、前記屋上部１ａ側に突出する勾配屋根４の傾斜方向の上端部において下方に開口して前記換気通路４ｃと外部とを連通する換気口４ｄとを備えており、
前記勾配屋根４の傾斜方向の上端部の屋上部１ａ側端面に取り付けられる固定金具７の下端部には、前記換気口４ｄを除く前記勾配屋根４の傾斜方向の上端部の下面を覆う覆いプレート９が一体的に設けられており、
この覆いプレート９には、前記支持壁３の屋上部１ａ側表面の上端部を覆うとともに、前記支持壁３の屋上部１ａ側表面から所定の隙間Ｓをあけて設けられる通気部１０が接続されており、
この通気部１０は、前記隙間Ｓに向かって水平方向に開口する開口部１０ａを有しており、この開口部１０ａと前記換気口４ｄとを介して前記換気通路４ｃと屋外とが連通していることを特徴とする。
【００１８】
請求項７に記載の発明によれば、前記通気部１０の開口部１０ａと前記換気口４ｄとを介して前記換気通路４ｃと屋外とが連通しているので、この通気部１０によって屋内と屋外とを確実に連通させることができ、十分な換気を行うことができる。
また、前記勾配屋根４の傾斜方向の上端部の屋上部１ａ側端面に取り付けられる固定金具７の下端部に、前記換気口４ｄを除く前記勾配屋根４の傾斜方向の上端部の下面を覆う覆いプレート９が一体的に設けられているので、この覆いプレート９によって、前記換気口４ｄを除く前記勾配屋根４の傾斜方向の上端部の下面から雨水等が浸入することを確実に防ぐことができる。さらに、前記通気部１０は、前記隙間Ｓに向かって水平方向に開口する開口部１０ａを有しているので、この開口部１０ａから内部に侵入しようとする雨水は、水平方向に向きを換えた後に、水平方向に浸入してから更に上昇して前記換気口４ｄに向かおうとするが、雨水は上昇速度が低下して前記換気口４ｄにほとんど達しない。これによって、前記勾配屋根４の傾斜方向の上端部の下方から前記勾配屋根４側に向かって雨水が浸入することを確実に防ぐことができるので、建物の雨仕舞をより格段に向上させることができる。
【００１９】
請求項８に記載の発明は、例えば図１に示すように、請求項１〜７のいずれか一項に記載の屋根構造において、
前記屋上部１ａと勾配屋根４と支持壁３とで囲まれる空間に収納庫１１が設けられており、
前記支持壁３には、前記収納庫１１内に収納される物品の出し入れを行うための出し入れ口３ａが形成されていることを特徴とする。
【００２０】
請求項８に記載の発明によれば、前記屋上部１ａと勾配屋根４と支持壁３とで囲まれる空間に収納庫１１が設けられており、前記支持壁３には、前記収納庫１１内に収納される物品の出し入れを行うための出し入れ口３ａが形成されているので、建物内の空いたスペースを有効的に活用できる。
また、前記支持壁３の上方では、前記勾配屋根４の傾斜方向の上端部が、この支持壁３よりも屋上部１ａ側に突出しているので、この勾配屋根４の傾斜方向の上端部を、前記屋上部１ａ側に張り出す軒先部として利用することができる。これによって、雨水が前記屋上部１ａから支持壁３および出し入れ口３ａに向かって跳ねる距離を長くすることができるので、前記収納庫１１付近における雨仕舞を向上させることができ、前記収納庫１１内に収納された物品が濡れることを確実に防ぐことができる。
【００２１】
請求項９に記載の発明は、例えば図８に示すように、請求項１〜８のいずれか一項に記載の屋根構造において、
前記勾配屋根４の傾斜方向の上端部には、人の手で握持可能な補助手摺り１２が取り付けられていることを特徴とする。
【００２２】
請求項９に記載の発明によれば、前記勾配屋根４の傾斜方向の上端部には、人の手で握持可能な補助手摺り１２が取り付けられているので、前記屋上部１ａに立ち入る人が、この補助手摺り１２を握持しながら前記屋上部１ａを安全に歩行できる。
【００２３】
請求項１０に記載の発明は、例えば図１〜図３に示すように、請求項１〜９のいずれか一項に記載の屋根構造を備える建物Ａであって、
前記建物本体１の上部に、この建物本体１の上階層となる建物上階部２が設けられており、
この建物上階部２の上部には、前記勾配屋根４と離間して配置される上階屋根２ａが設けられており、
この建物上階部２の外壁には、この建物上階部２の内部と前記屋上部１ａとを連通する開口部２ｂ，２ｃが形成されていることを特徴とする。
【００２４】
請求項１０に記載の発明によれば、前記建物上階部２の上部に、前記勾配屋根４と離間して配置される上階屋根２ａが設けられているので、前記建物上階部２内や前記建物本体１の内部に雨水等が浸入することを防ぐことができ、建物の雨仕舞をさらに格段に向上させることができる。
また、前記上階屋根２ａと前記勾配屋根４とが離間して配置されているので、この上階屋根２ａと前記勾配屋根４との間に開放部分を形成できることとなり、前記屋上部１ａを外部に向かって確実に開放させることができる。
さらに、前記建物上階部２の外壁に、この建物上階部２の内部と前記屋上部１ａとを連通する開口部２ｂ，２ｃが形成されているので、これら開口部２ｂ，２ｃのうち、少なくとも一方を出入口としておけば、この開口部２ｂ，２ｃの少なくとも一方を介して、人が前記屋上部１ａへと容易に移動できる。
【発明の効果】
【００２５】
本発明によれば、建物本体の外壁の上端部に連結されるとともに、上部が、建物本体の屋上部に立設される支持壁によって前記屋上部の上方に支持される勾配屋根が設けられているので、屋上部を外部に向かって確実に開放させながら、この勾配屋根を、建物本体の上部に確実に設置することができる。
そして、このような勾配屋根の傾斜方向の下端部は、建物本体の外壁よりも外部側に突出しているので、この勾配屋根の傾斜方向の下端部を、建物本体の外部に張り出す軒先部として利用することができる。
また、この勾配屋根の傾斜方向の上端部は、支持壁よりも屋上部側に突出することによって、屋上部に立ち入る人のための手摺りとされているので、屋上部に立ち入る人が手を載せたり、つかまったりすることができる。また、外部から屋上部に向かう視線を遮ることができる。
これによって、屋上部に手摺りを形成しながら、従来のように庇やキャンティバルコニー等の張出部を設ける手間を省略することができるとともに、勾配屋根の傾斜方向の下端部である軒先部によって建物の雨仕舞を向上させることが可能となる。
さらに、勾配屋根の傾斜方向の上端部は、支持壁よりも屋上部側に突出しているので、この勾配屋根の傾斜方向の上端部は支持壁に対してオーバーハングすることとなり、人が屋上部から外部へと移動しにくくなる。特に子供の手摺りの乗り越えを確実に防ぐことができ、安全性に優れる。
【発明を実施するための最良の形態】
【００２６】
以下、図面を参照して本発明の実施の形態について説明する。
【００２７】
本実施の形態の屋根構造は、図１〜図４に示すように、人が立ち入り可能であるとともに外部に向かって開放される屋上部１ａを有する建物本体１に、この建物本体１の外壁１ｂの上端部に連結されるとともに、上部が、前記屋上部１ａに立設される支持壁３によって前記屋上部１ａの上方に支持される勾配屋根４が設けられており、この勾配屋根４の傾斜方向の下端部が、前記建物本体１の外壁１ｂよりも外部側に突出しており、この勾配屋根４の傾斜方向の上端部が、前記支持壁３よりも屋上部１ａ側に突出することによって、前記屋上部１ａに立ち入る人のための手摺りとされているものである。
【００２８】
さらに、この建物本体１の上部には、図１〜図３に示すように、この建物本体１の上階層となる建物上階部２が設けられており、この建物上階部２を上階とし、前記建物本体１を下階とすることで２階建ての建物Ａを構築できることとなる。
【００２９】
なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００３０】
また、このパネルとは、図示はしないが、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
なお、本実施の形態の勾配屋根４の面材は、この勾配屋根４を構成する枠体の上面にのみ貼設されている。
【００３１】
ここで、前記建物本体１は、図１および図３に示すように、母屋部下階１ｃと、この母屋部下階１ｃに付属するとともに、この母屋部下階１ｃよりも高さの低い下屋部下階１ｄとを備えている。前記母屋部下階１ｃは居住領域として利用されており、前記下屋部下階１ｄは玄関室や、この玄関室に隣接する収納室として利用されている。
【００３２】
また、前記建物上階部２は、図１および図２に示すように、前記建物本体１の母屋部１ｃの上階層の母屋部上階２ｄと、前記下屋部１ｄの上階層の下屋部上階２ｅとを備えている。前記母屋部上階２ｄは居住領域として利用されており、前記下屋部上階２ｅは、前記母屋部上階２ｄの居住領域と行き来可能な収納室と、この収納室に隣接するとともに行き来可能な前記屋上部１ａとを有している。
すなわち、この屋上部１ａは、前記下屋部下階１ｄの上部に位置するルーフバルコニーとして利用されている。
【００３３】
このルーフバルコニーである屋上部１ａは、前記建物上階部２（母屋部上階２ｄ、下屋部上階２ｅ）の外壁に形成されている開口部２ｂ，２ｃによって、前記建物上階部２の内部と連通した状態となっている。
これら開口部２ｂ，２ｃのうち、少なくとも一方は人が無理なく通過できるような大きさの出入り口とすることが望ましく、本実施の形態では前記下屋部上階２ｅの収納室側の開口部２ｃが出入り口となっている。また、これら開口部２ｂ，２ｃには、透光性を有する面材を備えるサッシが設けられている。
【００３４】
なお、本実施の形態の屋上部１ａは、前記建物上階部２の外壁と、該屋上部１ｃ上に立設される前記支持壁３と、前記下屋部下階１ｄおよび下屋部上階２ｅの妻側に配置される妻壁１ｅとで囲まれる部分を指している。
また、前記建物上階部２の外壁の表面に外装材が取り付けられていることは言うまでもないが、前記支持壁３の屋上部１ａ側表面に外装材３ｄが取り付けられるとともに、前記妻壁１ｅの屋上部１ａ側表面にも外装材（図示せず）が取り付けられている。また、前記屋上部１ａにもルーフィング等防水処理が施されていることは言うまでもない。
【００３５】
さらに、前記建物上階部２の下屋部上階２ｅの上部には、前記勾配屋根４と離間して配置される上階屋根２ａが設けられている。これによって、この上階屋根２ａと前記勾配屋根４との間に開放部分を形成できることとなり、前記屋上部１ａを外部に向かって確実に開放させることができるようになっている。
なお、本実施の形態の上階屋根２ａは、棟部の両側に屋根面を有する招き屋根であり、この招き屋根とは、棟部から傾斜方向の下端部までの長さが短い一方の屋根と、この一方の屋根よりも棟部から下端部までの長さが長い他方の屋根とを備えるものである。また、前記母屋部上階２ｄの上部にも屋根が設けられており、この屋根も前記勾配屋根４とは離間して配置されている。
また、本実施の形態においては、前記上階屋根２ａの長さの短い一方の屋根は、前記勾配屋根４の延長線上に配置されており、これら上階屋根２ａと勾配屋根４とが、あたかも同一の屋根であるかのような印象を与えることができる。
【００３６】
また、この屋上部１ａと勾配屋根４と支持壁３とで囲まれる空間には、図１に示すように収納庫１１が設けられており、建物内の空いたスペースを有効的に活用できる。さらに、前記支持壁３には、前記収納庫１１内に収納される物品の出し入れを行うための出し入れ口３ａが形成されている。
【００３７】
なお、前記収納庫１１は、前記屋上部１ａと勾配屋根４と支持壁３と、前記屋上部１ａを構成する床上に立設されるとともに前記支持壁３と対向する補助壁１１ａとによって箱状に形成されてなる。
したがって、前記支持壁３だけでなく、前記補助壁１１ａによっても前記勾配屋根４を前記屋上部１ａの上方に支持できるようになっている。
【００３８】
一方、本実施の形態の勾配屋根４は、図１〜図３に示すように、前記建物本体１の外壁１ｂの上端部に連結されている。すなわち、前記勾配屋根４は、前記建物本体１の母屋部下階１ｃから下屋部下階１ｄにかけて形成されており、前記母屋部下階１ｃの外壁１ｂに連結された状態となっている。
さらに、下端部が前記建物本体１の外壁１ｂよりも外部側に突出するようにして設けられている。これによって、この勾配屋根４の傾斜方向の下端部を、前記建物本体１の外部に張り出す軒先部として利用することができる。
【００３９】
さらに、この勾配屋根４は、図３に示すように、前記母屋部下階１ｃの外壁１ｂに間隔をあけて隣り合うようにして前記下屋部下階１ｄの端部に立設される支持壁体１ｆとも連結されている。本実施の形態の支持壁体１ｆは、平面視逆Ｌ字状に形成されており、この逆Ｌ字状を構成する二辺のうち、一辺の延長線上に前記外壁１ｂが設けられており、他辺の延長線上に前記妻壁１ｅが設けられており、より安定的に構築されている。
【００４０】
なお、前記勾配屋根４の傾斜方向の下端部は、この支持壁体１ｆよりも外部側に突出するようにして設けられている。これによって、前記勾配屋根４の傾斜方向の下端部を、前記玄関室の外部の玄関ポーチ上に張り出す軒先部として利用することができる。
【００４１】
また、この勾配屋根４の上部は、上述のように前記屋上部１ｃ上に立設されるとともに、この屋上部１ｃを囲む支持壁３によって、この屋上部１ｃの上方に支持されている。
この支持壁３の上端部には、前記勾配屋根４を所定の角度に傾斜した状態でも確実に支持できるように、所定の角度の傾斜面を有する調整材３ｂが設けられている。また、この支持壁３の上端部と前記勾配屋根４とは、前記支持壁３の表面と前記勾配屋根４の下面とに当接する固定金具３ｃによって強固に固定されている（図５参照）。
【００４２】
そして、この勾配屋根４の傾斜方向の上端部は、図１に示すように、前記支持壁３よりも屋上部１ａ側に突出することによって、前記屋上部１ａに立ち入る人のための手摺りとして利用される。これにより、前記屋上部１ａに立ち入る人が手を載せたり、つかまったりすることができる。また、外部から前記屋上部１ａに向かう視線を遮ることができる。
【００４３】
さらに、この勾配屋根４の傾斜方向の上端部を、前記屋上部１ａ側に張り出す軒先部として利用することができる。これによって、雨水が前記屋上部１ａから支持壁３に向かって跳ねる距離を長くすることができるので、前記収納庫１１付近における雨仕舞を向上させることができ、前記収納庫１１内に収納された物品が濡れることを確実に防ぐことができるようになっている。
【００４４】
また、本実施の形態の勾配屋根４の上端部は、上述のように前記屋上部１ａの上方に支持されて手摺りとして利用される部分だけでなく、図２に示すように、前記建物上階部２の外壁に連結されている部分を備えているものとする。これによって、前記勾配屋根４の設置強度を向上させることができるので好ましい。
【００４５】
さらに、前記勾配屋根４の傾斜方向の上端部は、図１に示すように、前記支持壁３よりも屋上部１ａ側に突出しているので、この勾配屋根４の傾斜方向の上端部は前記支持壁３に対してオーバーハングすることとなり、人が前記屋上部１ａから外部へと移動しにくくなる。特に子供の手摺りの乗り越えを確実に防ぐことができ、安全性に優れる。
【００４６】
すなわち、例えば子供が前記勾配屋根４の上端部に手をかけ、さらに前記支持壁３の表面に足をかけて、この手摺りを乗り越えようとしても、このように前記勾配屋根４の上端部がオーバーハングしているため、乗り越えようとする子供の上体も背側に傾き、自身の上体を支えきれずに前記屋上部１ａ側に着地することとなる。したがって、特に子供の乗り越えを確実に防ぐことができ、安全性が高い。
【００４７】
一方、本実施の形態の勾配屋根４は、図４に示すように、建築用屋根パネルである屋根本体４ａからなり、この勾配屋根４の屋根本体４ａの内部空間を利用した換気通路４ｃと、前記屋上部１ａ側に突出する勾配屋根４の傾斜方向の上端部において下方に開口して前記換気通路４ｃと外部とを連通する換気口４ｄとを備えており、屋根自体の換気や小屋裏部分の換気などの屋根換気が行えるようになっている。
【００４８】
また、前記勾配屋根４の傾斜方向の上端部の屋上部１ａ側端面と、前記勾配屋根４の幅方向両端部に位置する側端面の少なくとも一方には、図４（ａ）〜（ｃ）に示すように、これら屋上部１ａ側端面および側端面の長さ方向に沿って、それぞれ化粧板材５，６が取り付けられている。
【００４９】
すなわち、前記化粧板材５は、前記屋上部１ａ側端面に取り付けられるので、正面視矩形状に形成されたものである。
なお、この化粧板材５は、図４（ａ）に示すように鉛直に配置された状態で取り付けられるものであるため、前記屋根本体４ａの傾斜方向の上端面には、鉛直な面を形成するために、所定の角度の傾斜面を有する調整材４ｂが取り付けられている。そして、この調整材４ｂの表面に、前記化粧板材５が取り付けられている。
また、前記勾配屋根４の屋根本体４ａを構成する面材は、前記調整材４ｂが設けられている分だけ、前記勾配屋根４の傾斜方向の上方に向かって突出している。これにより、後述する下地材２０ａを固定しやすくなっている。
【００５０】
また、前記化粧板材６は、前記傾斜する勾配屋根４の幅方向両端部に位置する側端面に取り付けられるので、斜材として形成されている。
つまり、この化粧板材６の傾斜方向の上端面および下端面は鉛直に配置される鉛直面となっており、上端面は、下端面よりも上方に配置されるようになっている。そして、これら上端面および下端面は鉛直面であるから、前記化粧板材６を前記勾配屋根４の側端面に取り付ける際も、鉛直に配置された状態を維持していることとなる。
【００５１】
また、これら化粧板材５，６の垂直方向の下端部は、前記勾配屋根４の下面の高さ位置よりも下垂している。したがって、例えば前記勾配屋根４に向かって雨が降る場合に、雨水が前記化粧板材５，６の表面を伝い、この化粧板材５，６の垂直方向の下端部に向かって流れることとなる。
これによって、前記勾配屋根４に向かって降る雨が前記勾配屋根４に到達することを確実に防ぐことができるので、建物の雨仕舞を向上させることができる。
【００５２】
なお、これら化粧板材５，６は、図４（ａ）および（ｃ）に示すように、これら化粧板材５，６が取り付けられる前記勾配屋根４の屋上部１ａ側端面および側端面との間に固定金具７，８を介して取り付けられている。
さらに、この固定金具７，８は、前記化粧板材５，６の取付面に形成される被係合部５ａ，６ａに係合する係合部７ａ，８ａを備えている。
【００５３】
前記固定金具７，８の係合部７ａ，８ａは、先端が上方に向かって突出するフック状体であり、これら固定金具７，８の本体に、垂直方向に沿って上方と下方との２箇所に設けられている。
また、前記化粧板材５，６の被係合部５ａ，６ａは、前記固定金具７，８の係合部７ａ，８ａの形状に合わせて形成されており、前記係合部７ａ，８ａであるフック状体の先端が確実に係合できるようになっている。
なお、これら固定金具７，８自体は、前記化粧板材５，６によって覆われることとなるので、雨仕舞等を考慮する必要は無く、釘やビス等の止着材によって前記屋根本体４ａに固定してもよい。
また、前記固定金具８は、前記化粧板材６を取り付けるためのものであるため、この化粧板材６と同じく、斜材として形成されている。
【００５４】
このような前記固定金具７，８を、予め前記勾配屋根４の屋上部１ａ側端面および側端面に取り付けておくことによって、前記化粧板材５，６を取り付ける際に、この化粧板材５，６の被係合部５ａ，６ａと、前記固定金具７，８の係合部７ａ，８ａとを係合させることで、前記化粧板材５，６を前記勾配屋根４の屋上部１ａ側端面および側端面に取り付けることができる。
これによって、前記化粧板材５，６を取り付ける際に釘やビス等の止着材を用いる必要がないので、釘やビス等の止着材が設けられた部分から雨水が浸入するようなことを確実に防ぐことができ、建物の雨仕舞を向上させることができる。
【００５５】
さらに、前記勾配屋根４の屋根本体４ａの上面には、瓦からなる複数の屋根材２０が設けられている。
また、これら複数の屋根材２０は、下方に位置する屋根材２０の上端部に、上方に位置する屋根材２０が重なり合うようにして葺かれることによって、これら屋根材２０上を流れる雨水が屋根材２０裏に浸入しないようになっている。
なお、前記勾配屋根４の屋根本体４ａの上面には予め防水シート（図中の破線）が敷設されており、この防水シートの上面に前記複数の屋根材２０が設けられている。
【００５６】
また、前記複数の屋根材２０のうち、最も上方に位置する屋根材２０は、図４（ａ）に示すように、前記勾配屋根４の傾斜方向の上端部に固定される下地材２０ａとともに止着材により前記屋根本体４ａに固定されている。
そして、前記勾配屋根４の傾斜方向の上端部には、前記屋上部１ａ側端面に取り付けられる化粧板材５の垂直方向の上端部と、この最も上方に位置する屋根材２０の傾斜方向の上端部とを包み込む上カバー部材３０が設けられている。この上カバー部材３０は、前記化粧板材５の垂直方向の上端部を覆う第１覆い部３０ａと、前記屋根材２０の傾斜方向の上端部を覆う第２覆い部３０ｂとを備えている。
なお、この上カバー部材３０も前記止着材によって前記下地材２０ａとともに、前記屋根本体４ａに固定されている。
【００５７】
このように前記勾配屋根４の傾斜方向の上端部には、前記屋上部１ａ側端面に取り付けられる化粧板材５の垂直方向の上端部と、前記勾配屋根４の上面に設けられる複数の屋根材２０のうち、最も上方に位置する屋根材２０の傾斜方向の上端部とを包み込む上カバー部材３０が設けられているので、この上カバー部材３０によって、前記勾配屋根４の傾斜方向の上端部付近から雨水等が浸入することを確実に防ぐことができる。
【００５８】
なお、本実施の形態の上カバー部材３０は、前記屋根材２０と同様に瓦によって構成されてなるものとするが、これに限られるものではない。
すなわち、例えば図６に示すように、アルミ等の金属からなる上カバー部材３１を用いてもよい。この上カバー部材３１は、前記化粧板材５の垂直方向の上端部を覆う第１覆い部３１ａと、前記屋根材２０の傾斜方向の上端部を覆う第２覆い部３１ｂとを備えており、前記第１覆い部３１ａは、前記化粧板材５の上端に固定される受け材３１ｃに接続されている。
また、前記第２覆い部３１ｂは、この第２覆い部３１ｂの撓みを防止する下地材３１ｄ上に位置している。
【００５９】
さらに、前記複数の屋根材２０のうち、前記勾配屋根４の幅方向の最も側方に位置する屋根材２０は、図４（ｃ）に示すように、前記勾配屋根４の幅方向の最も側方の端部に沿って固定される下地材２０ｂに沿って配置されている。
そして、前記勾配屋根４の幅方向両端部の少なくとも一方には、前記勾配屋根４の幅方向両端部に位置する側端面の少なくとも一方に取り付けられる化粧板材６の垂直方向の上端部と、この最も側方に位置する屋根材２０の側端部とを包み込む側カバー部材４０が設けられている。
【００６０】
このように前記勾配屋根４の幅方向両端部の少なくとも一方には、前記勾配屋根４の幅方向両端部に位置する側端面の少なくとも一方に取り付けられる化粧板材６の垂直方向の上端部と、前記勾配屋根４の上面に設けられる複数の屋根材２０のうち、この勾配屋根４の幅方向の最も側方に位置する屋根材２０の側端部とを包み込む側カバー部材４０が設けられているので、この側カバー部材４０によって、前記勾配屋根４の幅方向両端部の少なくとも一方から雨水等が浸入することを確実に防ぐことができる。
【００６１】
なお、この側カバー部材４０は、この側カバー部材４０の裏面側に、前記下地材２０ｂを被覆するとともに、前記屋根本体４ａの上面を被覆する防水下地材４０ａと一組で前記勾配屋根４の幅方向両端部の少なくとも一方に取り付けられるものとする。
すなわち、前記側カバー部材４０は、前記防水下地材４０ａを介して前記勾配屋根４の幅方向両端部の少なくとも一方に取り付けられることとなる。これによって、前記勾配屋根４の幅方向両端部の少なくとも一方から雨水等が浸入することを、より確実に防ぐことができるようになっている。
なお、本実施の形態においては、前記側カバー部材４０は前記勾配屋根４の幅方向両端部に取り付けられているものとする。
【００６２】
一方、建物Ａの雨仕舞を向上させるため、前記勾配屋根４の傾斜方向の上端部の下面に対して、この勾配屋根４の傾斜方向の上端部の下面を覆うような部材を設けることが好ましい。
すなわち、前記勾配屋根４の傾斜方向の上端部の屋上部１ａ側端面に取り付けられる固定金具７の下端部には、図５に示すように、前記換気口４ｄを除く前記勾配屋根４の傾斜方向の上端部の下面を覆う覆いプレート９が一体的に設けられている。
また、この覆いプレート９には、前記支持壁３の屋上部１ａ側表面の上端部を覆うとともに、前記支持壁３の屋上部１ａ側表面から所定の隙間Ｓをあけて設けられる通気部１０が接続されている。そして、この通気部１０は、前記隙間Ｓに向かって水平方向に開口する開口部１０ａを有しており、この開口部１０ａと前記換気口４ｄとを介して前記換気通路４ｃと屋外とが連通している。
【００６３】
ここで、前記覆いプレート９は、前記勾配屋根４の傾斜方向の上端部の下面を覆う部分の傾斜方向の下端部から垂直下方に向かって延在するとともに、下端部が適宜折曲形成されて前記通気部１０に接続される垂下部９ａを備えている。
【００６４】
また、前記通気部１０は、前記垂下部９ａに接続されるとともに、板材３ｅを介して前記支持壁３の調整材３ｂに固定される第１金具１０ｂと、この第１金具１０ｂとともに前記板材３ｅを介して前記支持壁３の調整材３ｂに固定されるとともに、前記支持壁３の屋上部１ａ側表面に沿って下垂する第２金具１０ｃとを備えており、これら第１金具１０ｂと第２金具１０ｃとの間に前記隙間Ｓが形成されている。また、前記開口部１０ａは、前記第１金具１０ｂに形成されている。
さらに、前記第２金具１０ｃには、火災時に発泡することによって前記隙間Ｓを塞ぐ防火発泡材１０ｄが設けられている。
【００６５】
このような前記勾配屋根４の傾斜方向の上端部付近の構成によれば、前記通気部１０の開口部１０ａと前記換気口４ｄとを介して前記換気通路４ｃと屋外とが連通しているので、この通気部１０によって屋内と屋外とを確実に連通させることができ、十分な換気を行うことができる。
また、前記勾配屋根４の傾斜方向の上端部の屋上部１ａ側端面に取り付けられる固定金具７の下端部に、前記換気口４ｄを除く前記勾配屋根４の傾斜方向の上端部の下面を覆う覆いプレート９が一体的に設けられているので、この覆いプレート９によって、前記換気口４ｄを除く前記勾配屋根４の傾斜方向の上端部の下面から雨水等が浸入することを確実に防ぐことができる。さらに、前記通気部１０は、前記隙間Ｓに向かって水平方向に開口する開口部１０ａを有しているので、この開口部１０ａから内部に侵入しようとする雨水は、水平方向に向きを換えた後に、水平方向に浸入してから更に上昇して前記換気口４ｄに向かおうとするが、雨水は上昇速度が低下して前記換気口４ｄにほとんど達しない。
これによって、屋根換気を十分に行いながら、前記勾配屋根４の傾斜方向の上端部の下方から前記勾配屋根４側に向かって雨水が浸入することを確実に防ぐことができる。
【００６６】
本実施の形態によれば、前記建物本体１の外壁１ｂの上端部に連結されるとともに、上部が、前記屋上部１ａに立設される支持壁３によって前記屋上部１ａの上方に支持される勾配屋根４が設けられているので、前記屋上部１ａを外部に向かって確実に開放させながら、この勾配屋根４を、前記建物本体１の上部に確実に設置することができる。
そして、このような勾配屋根４の傾斜方向の下端部は、前記建物本体１の外壁１ｂよりも外部側に突出しているので、この勾配屋根４の傾斜方向の下端部を、前記建物本体１の外部に張り出す軒先部として利用することができる。
また、この勾配屋根４の傾斜方向の上端部は、前記支持壁３よりも屋上部１ａ側に突出することによって、前記屋上部１ａに立ち入る人のための手摺りとされているので、前記屋上部１ａに立ち入る人が手を載せたり、つかまったりすることができる。また、外部から前記屋上部１ａに向かう視線を遮ることができる。
これによって、前記屋上部１ａに手摺りを形成しながら、従来のように庇やキャンティバルコニー等の張出部を設ける手間を省略することができるとともに、前記勾配屋根４の傾斜方向の下端部である軒先部によって建物の雨仕舞を向上させることが可能となる。
さらに、前記勾配屋根４の傾斜方向の上端部は、前記支持壁３よりも屋上部１ａ側に突出しているので、この勾配屋根４の傾斜方向の上端部は前記支持壁３に対してオーバーハングすることとなり、人が前記屋上部１ａから外部へと移動しにくくなる。特に子供の手摺りの乗り越えを確実に防ぐことができ、安全性に優れる。
【００６７】
なお、本実施の形態の建物本体１は、上面に屋上部１ａが設けられた直方体の単純な構造のものでよいし、本実施の形態の建物Ａは、この直方体の建物本体１に勾配屋根４が設けられるような単純なものでもよく、本発明の趣旨を逸脱しない範囲で適宜変更可能である。すなわち、前記建物Ａは平屋の建物であってもよいし、建物上階部２として、居住区域を形成せずに高さ制限の対象外となる階段室としての塔屋を設けてもよいし、前記屋上部１ａはルーフバルコニーではなく単なる陸屋根でもよい。
【００６８】
（第２の実施の形態）
次に、図面を参照して本発明の第２の実施の形態について説明する。なお、説明の便宜上、上述した第１の実施の形態とは異なる構成部分のみについて説明する。
【００６９】
すなわち、本実施の形態の屋根材２１は、スレート等からなる薄板状のものであり、この屋根材２１は、前記屋根本体４の上面に設けられるにあたって、下方に位置する屋根材２１の上端部に、上方に位置する屋根材２１が重なり合うようにして複数葺かれることで、これら屋根材２１上を流れる雨水が屋根材２１裏に浸入しないようになっている。
なお、前記勾配屋根４の屋根本体４ａの上面には予め防水シート（図中の破線）が敷設されており、この防水シートの上面に前記複数の屋根材２１が設けられている。
【００７０】
また、これら複数の屋根材２１のうち、最も上方に位置する屋根材２１は、図７（ａ）に示すように、前記勾配屋根４の傾斜方向の上端部と、この上端部に固定される下地材２１ａとの間に挟みこまれるようにして設けられている。
【００７１】
そして、前記勾配屋根４の傾斜方向の上端部には、この勾配屋根４の屋上部１ａ側端面に取り付けられる化粧板材５の垂直方向の上端部と、前記勾配屋根４の上面に設けられる複数の屋根材２１のうち、最も上方に位置する屋根材２１の傾斜方向の上端部とを包み込む上カバー部材３２が設けられている。
【００７２】
このカバー部材３２は、アルミ等の金属からなり、前記化粧板材５の垂直方向の上端部を覆う第１覆い部３２ａと、前記屋根材２１の傾斜方向の上端部を覆う第２覆い部３２ｂと、これら第１覆い部３２ａと第２覆い部３２ｂとの間に位置する中間覆い部３２ｃとを備えている。また、前記第１覆い部３２ａは、前記化粧板材５の上端に固定される受け材３２ｄに接続されている。
【００７３】
さらに、前記中間覆い部３２ｃは、水平面または前記屋上部１ａに向かって下がるように傾斜する傾斜面となっている。
これによって、例えば、このような中間覆い部３２ｃがない場合に比して、前記第１覆い部３２ａと第２覆い部３２ｂとの間の角部付近が鋭利でない状態となり、人が手を載せやすくなる。また、この中間覆い部３２ｃがない場合に比して、前記屋上部１ａから前記上カバー部材３２の最上部までの高さが低くなるので、前記屋上部１ａから見える景色が広がるとともに、前記屋上部１ａに向かって注がれる日差しを多く取り込めるようになっている。
また、前記中間覆い部３２ｃが水平面となっていれば、例えばコップやグラス等を置いてテーブル代わりに用いることができ、前記中間覆い部３２ｃが前記屋上部１ａに向かって下がる傾斜面となっていれば、例えば洗濯バサミ等の物品を落とした時に、この物品が前記屋上部１ａ側に落ちやすくなる。
【００７４】
一方、前記複数の屋根材２１のうち、前記勾配屋根４の幅方向の最も側方に位置する屋根材２１は、図７（ｃ）に示すように、前記勾配屋根４の幅方向の最も側方の端部に沿って固定される下地材２１ｂに沿って配置されている。
そして、前記勾配屋根４の幅方向両端部の少なくとも一方には、前記勾配屋根４の幅方向両端部に位置する側端面の少なくとも一方に取り付けられる化粧板材６の垂直方向の上端部と、この最も側方に位置する屋根材２１の側端部とを包み込む側カバー部材４１が設けられている。
【００７５】
このように前記勾配屋根４の幅方向両端部の少なくとも一方には、前記勾配屋根４の幅方向両端部に位置する側端面の少なくとも一方に取り付けられる化粧板材６の垂直方向の上端部と、前記勾配屋根４の上面に設けられる複数の屋根材２１のうち、この勾配屋根４の幅方向の最も側方に位置する屋根材２１の側端部とを包み込む側カバー部材４１が設けられているので、この側カバー部材４１によって、前記勾配屋根４の幅方向両端部の少なくとも一方から雨水等が浸入することを確実に防ぐことができる。
【００７６】
なお、この側カバー部材４１は、この側カバー部材４１の裏面側に、前記下地材２１ｂを被覆するとともに、前記屋根本体４ａの上面を被覆する防水下地材４１ａと一組で前記勾配屋根４の幅方向両端部の少なくとも一方に取り付けられるものとする。
すなわち、前記側カバー部材４１は、前記防水下地材４１ａを介して前記勾配屋根４の幅方向両端部の少なくとも一方に取り付けられることとなる。これによって、前記勾配屋根４の幅方向両端部の少なくとも一方から雨水等が浸入することを、より確実に防ぐことができるようになっている。
【００７７】
本実施の形態によれば、第１の実施の形態と同じ効果を得ることができるとともに、第１の実施の形態とは異なる屋根材２１を用いた場合でも、建物Ａの雨仕舞を向上させることができる。
【００７８】
（第３の実施の形態）
次に、図面を参照して本発明の第３の実施の形態について説明する。なお、説明の便宜上、上述した第１および第２の実施の形態とは異なる構成部分のみについて説明する。
すなわち、本実施の形態においては、図８に示すように、前記勾配屋根４の傾斜方向の上端部に、人の手で握持可能な補助手摺り１２が取り付けられている。
【００７９】
そして、このように前記勾配屋根４の傾斜方向の上端部には、人の手で握持可能な補助手摺り１２が取り付けられているので、例えば、前記屋上部１ａに立ち入る人が、この補助手摺りを握持しながら前記屋上部１ａを安全に歩行できたり、前記屋上部１ａで洗濯物を干す際に洗濯干しロープを巻き付けたり、子供が背伸びをして外の風景を見るときの補助とするなどの利点がある。
【００８０】
なお、本実施の形態の屋根材を、第２の実施の形態と同様野の屋根材２１とし、これに伴って、上カバー部材３２や側カバー部材４１等を図示したが、これに限られるものではなく、第１の実施の形態と同様の屋根材２０や上カバー部材３０，３１、側カバー部材４０等でもよいものとする。
【図面の簡単な説明】
【００８１】
【図１】本発明の建物を示す側断面図である。
【図２】本発明の建物を示す平断面図である。
【図３】本発明の建物を示す平断面図である。
【図４】勾配屋根の傾斜方向の上端部付近の構成の一例を示すものであり、（ａ）は勾配屋根の傾斜方向の上端部の側断面図であり、（ｂ）は勾配屋根の傾斜方向の上端部の上カバー部材を取り付けない状態の端面図であり、（ｃ）は勾配屋根の傾斜方向の上端部の正面側の断面図である。
【図５】勾配屋根の傾斜方向の上端部付近の構成の一例を示すものであり、覆いプレートと通気部とを示す側断面図である。
【図６】勾配屋根の傾斜方向の上端部付近の構成の一例を示すものであり、（ａ）は勾配屋根の傾斜方向の上端部の側断面図であり、（ｂ）は勾配屋根の傾斜方向の上端部の上カバー部材を取り付けない状態の端面図であり、（ｃ）は勾配屋根の傾斜方向の上端部の正面側の断面図である。
【図７】勾配屋根の傾斜方向の上端部付近の構成の一例を示すものであり、（ａ）は勾配屋根の傾斜方向の上端部の側断面図であり、（ｂ）は勾配屋根の傾斜方向の上端部の上カバー部材を取り付けない状態の端面図であり、（ｃ）は勾配屋根の傾斜方向の上端部の正面側の断面図である。
【図８】勾配屋根の傾斜方向の上端部付近の構成の一例を示すものであり、補助手摺りを示す側断面図である。
【符号の説明】
【００８２】
Ａ  建物
１  建物本体
１ａ  屋上部
１ｂ  外壁
３  支持壁
４  勾配屋根
【図１】
2010077629.tif 000003
【図２】
2010077629.tif 000004
【図３】
2010077629.tif 000005
【図４】
2010077629.tif 000006
【図５】
2010077629.tif 000007
【図６】
2010077629.tif 000008
【図７】
2010077629.tif 000009
【図８】
2010077629.tif 000010